(57)【要約】【課題】信頼性及び安全性の高い裂損防止付き紙容器を提供する。【解決手段】本考案の裂損防止付き紙容器２００は、ラミネート紙から形成され、紙容器本体２０及び蓋体３０を含む。紙容器本体２０は、収容空間２１及び開口２２を有する。紙容器本体２０の開口２２部分には、シール部２３が外側に向かって形成される。シール部２３の上表面は、シール面２４である。シール面２４上の開口２２に近い内縁部分には、開口２２を取り囲む複数のパターンユニット２５が形成される。蓋体３０は、シール面２４上に緊密に結合されて収容空間２１を密封する。【選択図】図２Ａ
0003201347.tif 000002
【実用新案登録請求の範囲】
【請求項１】
ラミネート紙から形成され、紙容器本体及び蓋体を備える裂損防止付き紙容器であって、
前記紙容器本体は、収容空間及び開口を有し、前記紙容器本体の開口部分には、シール部が外側に向かって形成され、前記シール部の上表面は、シール面であり、前記シール面上の前記開口に近い内縁部分には、前記開口を取り囲む複数のパターンユニットが形成され、
前記蓋体は、前記シール面上に緊密に結合されて前記収容空間を密封することを特徴とする裂損防止付き紙容器。
【請求項２】
前記シール部には、少なくとも１つの凹陥した裂損防止溝が形成され、前記裂損防止溝は、前記複数のパターンユニットの外側を取り囲むことを特徴とする請求項１に記載の裂損防止付き紙容器。
【請求項３】
前記複数のパターンユニットは、凹陥状を呈することを特徴とする請求項１又は２に記載の裂損防止付き紙容器。
【請求項４】
前記複数のパターンユニットは、突起状を呈することを特徴とする請求項１又は２に記載の裂損防止付き紙容器。
【請求項５】
前記複数のパターンユニットは、凹陥状及び突起状が混合分布することを特徴とする請求項１又は２に記載の裂損防止付き紙容器。
【請求項６】
前記少なくとも１つのパターンユニットは、帯状構造を呈することを特徴とする請求項１又は２に記載の裂損防止付き紙容器。
【請求項７】
前記少なくとも１つのパターンユニットは、不規則構造を呈することを特徴とする請求項１又は２に記載の裂損防止付き紙容器。
【請求項８】
前記複数のパターンユニットは、不規則に配列することを特徴とする請求項１又は２に記載の裂損防止付き紙容器。
【考案の詳細な説明】
【技術分野】
【０００１】
本考案は、紙容器に関し、特に、複数のパターンユニットを有する裂損防止付き紙容器に関する。
【背景技術】
【０００２】
現代人は、経済が発展し、生活様式が変化するにつれ、外食する頻度が高くなっている。多くの外食産業において、消費者に対して迅速なサービスを提供すると共に、環境を汚染しないようにするために、包装、携帯及び使用に便利であり、使用後に廃棄しても環境に自然分解されやすい紙容器が多く使用されている。特に、防水で中身が漏れない食品又は飲料用の紙容器は、多くの外食産業で使用されている。
【０００３】
図１Ａ及び図１Ｂを参照する。図１Ａは、従来のカップ構造１００を示す斜視図であり、図１Ｂは、図１Ａの円部分を示す断面図である。飲料又は食品に含まれる水分によって紙製カップ１０から中身が漏れたり、破損したりしないようにするために、紙製カップ１０の内壁及び開口部分の蓋体１２が接合される接合面には、一層のフィルム１１が設置又は貼設される。また、密封効果を実現し、中身が漏れるのを防止するために、従来のカップ構造１００においては、ホットメルト技術によってプラスチック製の蓋体１２が紙製カップ１０上の開口部分に溶接される。即ち、蓋体１２は、紙製カップ１０の開口部分に溶接される際、実際は接合部分のフィルム１１と相互に溶接される。
【０００４】
しかし、一般に、プラスチック材料の相互間における接合強度は、プラスチック材料と紙材料の繊維との間の結合強度より強いため、ユーザが紙製カップ１０の開口部分に溶接された蓋体１２を開ける際、紙製カップ１０の接合面上のフィルム１１が裂損しやすい。また、紙製カップ１０の内壁は、開口部分からカップの中心方向に下方に傾斜しているため、蓋体１２が開口部分まで開けられると、紙製カップ１０の内壁の開口付近のフィルム１１も蓋体１２によって引っ張られて裂損する。
【０００５】
紙製カップ１０の開口部分付近のフィルム１１が破損することにより、紙製カップ１０内の食品又は飲料が破損部分から漏れたり流出したりし、漏れたり流出したりした食品又は飲料によってユーザの身体又は環境が汚染されたり、高温の食品又は飲料によってユーザが火傷をしたりする虞がある。
【０００６】
上述の欠点に鑑み、従来のカップ構造１００の信頼性及び安全性を高めることが求められていた。
【先行技術文献】
【特許文献】
【０００７】
【特許文献１】特開平９−２２１１５７号公報
【考案の概要】
【考案が解決しようとする課題】
【０００８】
本考案の目的は、従来技術におけるカップ内部のフィルムが裂損及び破損してカップ内に収容された食品又は飲料が漏れたり流出したりし、ユーザの身体又は環境が汚染されたり、ユーザが火傷をしたりするのを防止することができ、カップ構造の信頼性及び安全性を高めることができる裂損防止付き紙容器を提供することにある。
【課題を解決するための手段】
【０００９】
上述の課題を解決するために、本考案の裂損防止付き紙容器は、ラミネート紙から形成され、紙容器本体及び蓋体を含む。紙容器本体は、収容空間及び開口を有する。紙容器本体の開口部分には、シール部が外側に向かって形成される。シール部の上表面は、シール面である。シール面上の開口に近い内縁部分には、開口を取り囲む複数のパターンユニットが形成される。蓋体は、シール面上に緊密に結合されて収容空間を密封する。
【考案の効果】
【００１０】
本考案の裂損防止付き紙容器により、以下（１）及び（２）に示す効果を実現することができる。
（１）蓋体を開ける際に紙容器の開口部分のフィルムが裂損、及びそれから派生
する破損する問題を改善することができるため、紙容器の信頼性を高めることができる。
（２）紙容器の安全性を高め、環境保護及びユーザの安全を確保することができる。
【図面の簡単な説明】
【００１１】
【図１Ａ】従来のカップ構造を示す斜視図である。
【図１Ｂ】図１Ａの円部分を示す断面図である。
【図２Ａ】本考案の裂損防止付き紙容器を示す斜視図である。
【図２Ｂ】本考案の裂損防止付き紙容器のシール面及びパターンユニットを示す平面図である。
【図２Ｃ】本考案の裂損防止付き紙容器のシール面、パターンユニット及び裂損防止溝を示す平面図である。
【図２Ｄ】図２Ｃの線ＡＡに沿った断面図である。
【図２Ｅ】図２Ｃの円部分を示す拡大図である。
【図３Ａ】本考案の紙容器のもう１つのシール面及びパターンユニットを示す平面図である。
【図３Ｂ】本考案の裂損防止付き紙容器のもう１つのシール面、パターンユニット及び裂損防止溝を示す平面図である。
【図３Ｃ】図３Ｂの線ＢＢに沿った断面図である。
【図３Ｄ】図３Ｂの円部分を示す拡大図である。
【考案を実施するための形態】
【００１２】
当業者が本考案の明細書、実用新案登録請求の範囲および図面に基づいて本考案の目的および長所を簡単に理解できるようにするために、以下に示す実施形態において本考案の詳細な特徴および長所を詳細に述べる。
【００１３】
図２Ａ〜図３Ｄに示すように、本考案は、破損防止及び裂損防止の溝付き紙容器２００を提供するものである。本考案の裂損防止付き紙容器２００は、ラミネート紙から形成され、紙容器本体２０と、紙容器本体２０の開口２２上に緊密に結合される蓋体３０と、を含む。
【００１４】
紙容器本体２０は、収容空間２１及び開口２２を有する。収容空間２１は、食品又は飲料を収容する空間として用いられる。開口２２は、食品又は飲料を収容空間２１に収容する際の通路であり、ユーザが収容空間２１内の食品又は飲料を取り出す際の出口として用いられる。
【００１５】
紙容器本体２０の開口２２部分には、環状で平板状のシール部２３が外側に形成される。シール面２４は、シール部２３の上表面であり、即ち、蓋体３０と紙容器本体２０とが結合される位置である。シール面２４上の開口２２に近い内縁部分には、開口２２を取り囲んで配列する複数のパターンユニット２５が形成される。
【００１６】
図２Ｄ及び図３Ｃに示すように、裂損防止付き紙容器２００が防水機能を実現するために、裂損防止付き紙容器２００は、ラミネート紙から形成される。即ち、紙容器本体２０の壁面及びシール面２４の表面上には、防水のフィルム２７が形成される。
【００１７】
蓋体３０もラミネート紙から形成され、ホットメルト溶接によってシール面２４上に緊密に結合され、収容空間２１の開口２２部分を密封し、食品又は飲料を収容空間２１中に密封する。これにより、ユーザは、食品又は飲料が収容された裂損防止付き紙容器２００を便利に携帯することができ、ユーザの動作によって食品又は飲料が揺動しても裂損防止付き紙容器２００から漏れたり流出したりしないため、ユーザに極めて高い利便性及び信頼性を提供することができる。
【００１８】
図２Ａ〜図３Ｄに示すように、シール面２４上には、複数のパターンユニット２５が形成される。パターンユニット２５の高さ、輪郭形状、方向、配列方式などにより、シール面２４は、複数の小領域に分割される。これにより、蓋体３０がユーザに開けられる過程において、蓋体３０によってシール面２４が引っ張られて損壊した場合でも、損壊範囲がシール面２４の大範囲又は全体に及ぶことがなく、分割された小領域に止めることができる。
【００１９】
高さに関して述べると、パターンユニット２５は、凹陥状又は突起状、或いは、凹陥状及び突起状が混合して分布する態様にすることができる。輪郭形状に関して述べると、複数のパターンユニット２５中、少なくとも１つのパターンユニット２５は、帯状構造又は不規則構造を呈する。方向又は配列方式について述べると、複数のパターンユニット２５は、規則的に配列する態様又は不規則に配列する態様にすることができる。これらの様々な高さ、輪郭形状、方向及び配列方式を有するパターンユニット２５は、圧印、スタンピングなどの技術によってシール部２３上に簡単に製造することができる。
【００２０】
複数のパターンユニット２５は、凹凸方向、輪郭形状及び配列方式が如何なるものであっても、同一の製造方法によってシール部２３上に簡単に制作することができるため、ここでは、規則的に配列し、凹陥した帯状の形態のみを例示して説明を行う。
【００２１】
図２Ａ及び図２Ｂに示すパターンユニット２５は、凹陥した帯状の構造を呈し、開口２２を取り囲むように平行に規則的に配列して構成される。
【００２２】
また、図３Ａに示す実施形態においては、パターンユニット２５が凹陥した帯状の構造を呈し、複数のパターンユニット２５は、２組の帯状構造から構成され、各組の帯状構造は、開口２２の辺縁と同一の挟角を呈する複数の帯状ユニットを含む。この２組の帯状構造の配列方式は、異なる方向を向くため、各組の帯状構造中の各帯状ユニットは、他の帯状構造中の少なくとも１つの帯状ユニットと互いに交差し、開口２２を取り囲んで規則的に配列する。
【００２３】
図２Ｃ〜図２Ｅ、図３Ｂ〜図３Ｄに示すように、シール部２３には、少なくとも１つの凹陥する裂損防止溝２６が形成される。裂損防止溝２６は、複数のパターンユニット２５の外側の位置に環状に設置される。パターンユニット２５と同様に、裂損防止溝２６は、圧印、スタンピングなどの技術によってシール部２３上に簡単に製造することができる。
【００２４】
裂損防止溝２６の構造は、立体状を呈するため、構造強度が外縁付近部分の環状の平板状の部位より高い。これにより、裂損防止付き紙容器２００は、ユーザの不注意によってシール部２３自身又はシール面２４上のフィルム２７が外縁から裂損し始め、裂け目が裂損防止溝２６の位置まで延伸した場合でも、裂損防止溝２６の立体構造が高い構造強度を提供するため、裂け目が裂損防止溝２６を越えにくく、裂け目が開口２２部分まで延伸したり、紙容器本体２０の壁面まで延伸したりすることがないため、収容空間２１に収容された食品又は飲料が漏れたり、流出したりするのを防止することができる。
【００２５】
図２Ａ〜図３Ｄに示すように、開口２２を取り囲むようにパターンユニット２５が設置され、パターンユニット２５の構造が立体構造であるため、ホットメルト溶接の方式によって結合される蓋体３０とシール面２４との結合方式が従来技術のように完全で連続した平面上に結合されるのではなく、パターンユニット２５の設計に基づいて形成されるシール面２４の平面上の複数の小面積領域に結合される。
【００２６】
即ち、蓋体３０底面とシール面２４との結合部分が完全な環状の平面ではなく、パターンユニット２５によって分割された面積が小さい領域であるため、蓋体３０がシール面２４から剥がされる過程中、シール面２４に被覆されるフィルム２７が裂損又は破損し始めた場合でも、裂損又は破損が立体形状のパターンユニット２５と平面との境界及び湾曲部分に到達すると阻止される上、小面積の範囲内に限定されるため、紙容器本体２０の内壁表面上まで裂損又は破損が延伸しない。
【００２７】
これにより、収容空間２１周辺のフィルム２７が破損又は裂損するのを防止することができるため、破損又は裂損によって収容空間２１に収容された食品又は飲料が漏れたり、流出したりするのを防止することができる。
【００２８】
即ち、本考案の裂損防止付き紙容器２００は、紙容器内壁のフィルム２７又はシール部２３が裂損するのを防止し、収容空間２１に収容された食品又は飲料が裂損又は破損した部分から漏れたり、流出したりして環境を汚染したり、ユーザが火傷したりするのを防止することができ、紙容器の信頼性及び安全性を大幅に高め、環境保護を実現し、ユーザの安全性を確保することができる。
【００２９】
上述の実施形態は本考案の特徴を説明するためのものであり、その目的は、当業者に本考案の内容を理解させて実施できるようにすることにあり、本考案の実用新案登録請求の範囲を限定するものではなく、本考案の主旨を逸脱しない範囲における同等効果の修飾または変更は、全て本考案の実用新案登録請求の範囲に含まれる。
【符号の説明】
【００３０】
１００  従来のカップ構造
１０  紙製カップ
１１  フィルム
１２  蓋体
２００  裂損防止付き紙容器
２０  紙容器本体
２１  収容空間
２２  開口
２３  シール部
２４  シール面
２５  パターンユニット
２６  裂損防止溝
２７  フィルム
３０  蓋体
【図１Ａ】
0003201347.tif 000003
【図１Ｂ】
0003201347.tif 000004
【図２Ａ】
0003201347.tif 000005
【図２Ｂ】
0003201347.tif 000006
【図２Ｃ】
0003201347.tif 000007
【図２Ｄ】
0003201347.tif 000008
【図２Ｅ】
0003201347.tif 000009
【図３Ａ】
0003201347.tif 000010
【図３Ｂ】
0003201347.tif 000011
【図３Ｃ】
0003201347.tif 000012
【図３Ｄ】
0003201347.tif 000013